(57)【要約】【課題】マイクロ流路で液滴同士又は液滴と固体物とを極めて効率的に接触混合することができる。  【解決手段】液滴混合装置１０は、マイクロ流路１２の一部として形成され、混合するための複数の液滴を合一してマイクロ流路の内壁面に接触する大きさの液滴塊を形成する合一部１４、及び合一部１４の下流側に位置して、Ｔ字状に流路が形成されたＴ字流路部１６を備えた装置本体１８と、マイクロ流路１２に液滴Ａ、Ｂを注入する液滴注入手段２０と、注入された液滴を合一部１４を介してＴ字流路部１６に移送する移送手段２２と、Ｔ字流路部１６において液滴塊Ｃを往復移動させる往復移動手段２５と、で構成される。【選択図】  図１
2008107340.tif 000002
【特許請求の範囲】
【請求項１】
マイクロ流路において液滴同士を混合する液滴混合方法において、
混合する複数の液滴を合一して前記マイクロ流路の内壁に接触する大きさの液滴塊を形成する液滴塊形成工程と、
前記マイクロ流路のＴ字状に流路が形成されたＴ字流路部において前記液滴塊を移動方向を変えながら往復させることにより、非対称な流れを前記液滴塊内に起こすことで液滴同士を混合する混合工程と、
を備えたことを特徴とする液滴混合方法。
【請求項２】
前記混合工程では、前記Ｔ字流路部に導入する液滴塊が楕円に近い形状を有し、前記Ｔ字流路部において前記液滴塊の移動方向が変わる際、液滴塊の内側は前記Ｔ字流路部の流路壁面と接するが、液滴塊の外側が流路壁面と接しないことで、液滴塊の両面が受ける摩擦の差を利用して、液滴塊内に非対称な流れを発生させて混合効果を発現することを特徴とする請求項１の液滴混合方法。
【請求項３】
前記液滴塊を分裂させないように、前記液滴塊の往復移動回数及び／又は往復移動距離を設定することを特徴とする請求項１又は２の液滴混合方法。
【請求項４】
マイクロ流路において液滴と流路壁面上の固定物とを接触混合する液滴混合方法において、
前記固定物を前記マイクロ流路のＴ字状に流路が形成されたＴ字流路部に固定する固定工程と、
前記マイクロ流路の内壁面に接触する大きさの液滴を前記Ｔ字流路部で往復移動させることにより前記液滴と前記固定物とを接触混合する混合工程と、
を備えたことを特徴とする液滴混合方法。
【請求項５】
前記固定物は抗体であり、前記液滴は血液であり、前記抗体と前記血液中の抗原とにより抗原抗体反応を行うことを特徴とする請求項４の液滴混合方法。
【請求項６】
液滴の往復移動の繰り返し周波数を、０．１Ｈｚ以上５Ｈｚ以下で行うことを特徴とする請求項１〜５の何れか１の液滴混合方法。
【請求項７】
前記往復移動を気体の圧力変化で行うと共に、送気する気体量及び吸引する気体量が０．１〜１０００μＬ／分の範囲であることを特徴とする請求項１〜６の何れか１の液滴混合方法。
【請求項８】
マイクロ流路において液滴同士を混合する液滴混合装置において、
前記マイクロ流路の一部として形成され、混合するための複数の液滴を合一して前記マイクロ流路の内壁面に接触する大きさの液滴塊を形成する合一部、及び前記合一部の下流側に位置して、Ｔ字状に流路が形成されたＴ字流路部を備えた装置本体と、
前記マイクロ流路に液滴を注入する液滴注入手段と、
前記注入された液滴を前記合一部を介して前記Ｔ字流路部に移送する移送手段と、
前記Ｔ字流路部において前記液滴塊を往復移動させる往復移動手段と、を備えたことを特徴とする液滴混合装置。
【請求項９】
前記合一部の上流側が複数の分岐流路に分岐されると共に、該分岐流路から異なる種類の液滴を供給して合一部で合一させることにより、前記液滴塊を形成することを特徴とする請求項８の液滴混合装置。
【請求項１０】
マイクロ流路において液滴と流路壁面上の固定物とを接触混合する液滴混合装置において、
前記マイクロ流路の一部として形成され、Ｔ字状に流路が形成されたＴ字流路部を備えた装置本体と、
前記固定物を前記マイクロ流路のＴ字状に流路が形成されたＴ字流路部に固定する固定手段と、
前記マイクロ流路に液滴を注入する液滴注入手段と、
前記注入された液滴を前記Ｔ字流路部に移送する移送手段と、
前記Ｔ字流路部において前記液滴を往復移動させる往復移動手段と、を備えたことを特徴とする液滴混合装置。
【請求項１１】
前記固定物は抗体であり、前記液滴は血液であり、前記抗体と前記血液中の抗原とにより抗原抗体反応を行うことを特徴とする請求項１０の液滴混合装置。
【請求項１２】
前記Ｔ字流路部を構成する３方向の流路のうちの少なくとも１方向の流路に流路断面が狭くなる絞り部を有することを特徴とする請求項８〜１１の何れか１の液滴混合装置。
【請求項１３】
前記Ｔ字流路部を構成する３方向の流路のうちの１方向の流路が、直線流路を形成する他の２本の流路に対して傾斜していることを特徴とする請求項８〜１２の何れか１の液滴混合装置。
【請求項１４】
前記往復移動手段は、Ｔ字流路部内の圧力を変化させる手段であることを特徴とする請求項８〜１３の何れか１の液滴混合装置。
【請求項１５】
前記マイクロ流路の流路断面は等価直径で５０μｍ以上２ｍｍ以下であると共に、前記液滴の体積は０．１ｎＬ以上１００μＬ以下であることを特徴とする請求項８〜１４の何れか１の液滴混合装置。
【請求項１６】
前記液滴の前記マイクロ流路内壁面に対する接触角は、２０°以上１８０未満であることを特徴とする請求項８〜１５の何れか１の液滴混合装置。
【発明の詳細な説明】
【技術分野】
【０００１】
本発明は、液滴混合方法及び装置に係り、特にマイクロ流路において液滴同士又は液滴と固定物とを接触させて混合する技術に関する。
【背景技術】
【０００２】
近年、マイクロ化学プロセス技術への期待が高まり、化学プロセスの単位操作である「混合」においても、マイクロリットルやピコリットルレベルの液滴混合に関する研究が盛んに行われている。混合を行うためにはその空間を攪拌して、乱流を発生させることが一般である。
【０００３】
しかし、マイクロ空間では層流のみが形成されるため、効果的な攪拌をすることは難しい。例えば、特許文献１のマイクロチップによれば、図９に示すように、直線状のマイクロ流路１内において液滴（例えば検体液滴と試薬液滴）同士の混合を促進させるため、液滴を合一した液滴塊２を、ピエゾ素子を用いたマイクロポンプにより、液滴塊２をマイクロ流路内で直線的に往復移動させるようにしている。これにより、従来の大型装置と同等又はそれ以上の精度で、検体と試薬を混合して例えば血液検査を行うことができるとしている。
【０００４】
また、特許文献２の化学分析装置には、１枚の共通電極板に対向して、複数の互いに絶縁された電極列を有する板状部材を設け、２枚の板の隙間に満たされた充填液の中の微量な液滴を、電極列に順次電圧を印加することにより、電極面と液滴間に引力を発生させて、電極列に沿って搬送する方法が記載されている。サンプル及び試薬が液滴となって、対向して配置された板状部材間に挟まれており、電極に電界を印加することによって液滴の接触角が変化し、複数の電極上を移動することが可能となる。これにより、生体中に含まれる微量物質の分析を行うことができるとしている。
【０００５】
このように、マイクロ化学プロセス技術を利用して、医療関連の検査装置、例えば血液検査装置の開発が行われている。
【０００６】
かかる血液検査装置で血液検査を行う場合、真空採血管により数ｍＬの血液を測定項目に応じて採取し、真空採血管を各種の自動分析機にセットする。自動分析装置は大型であり、病院によっては装置をもたず検査センターに依頼して血液を検査することも多々ある。そのため、検査結果が出るまでに時間を要しているのが現状である。緊急を要する検査を行う場合は、検査装置のある施設へ出向く必要があり、高齢者、病人にとっては検査自体が身体的に負担となる。また、血液検査をもっと気軽に、頻繁に行う環境が出来れば、病気に対する予防が進み、生活の質を高めることが出来る。
【０００７】
このような背景から、小型な器具で、簡便に且つ少量の血液量で行うことができることが要求されており、上述したマイクロリットルやピコリットルレベルで精度良く液滴混合を行うことができれば、小型な器具で、簡便に且つ少量の血液量で血液検査を行うための装置を開発することも可能である。
【特許文献１】特開２００２−２１４２４１号公報
【特許文献２】特開２００６−５８０３１号公報
【発明の開示】
【発明が解決しようとする課題】
【０００８】
しかしながら、特許文献１のように、液滴を単に直線的なマイクロ流路で往復移動させるだけでは、前述の通り、マイクロ流路内では単なる層流流れのみが形成されるため、液滴を攪拌する力が弱く、液滴の十分な混合を行うことができないという欠点がある。更に、特許文献１ではピエゾ素子をマイクロチップに組み込む必要があるため、使い捨ての簡単な装置にすることは非現実的である。
【０００９】
また、特許文献２の場合には、開放系であり、湿度のコントロールを常に行わなければならないこと、並びに各電極に印加する順番を制御するなど煩雑な操作が必要になるという欠点がある。
【００１０】
本発明はこのような事情に鑑みてなされたもので、マイクロ流路で液滴同士又は液滴と固定物とを極めて効率的に接触混合することができるので、小型な器具で、簡便に且つ少量の血液量で血液検査を行うための方法や装置としても適用できる液滴混合方法及び装置を提供することを目的とする。
【課題を解決するための手段】
【００１１】
本発明の請求項１は前記目的を達成するために、マイクロ流路において液滴同士を混合する液滴混合方法において、混合する複数の液滴を合一して前記マイクロ流路の内壁に接触する大きさの液滴塊を形成する液滴塊形成工程と、前記マイクロ流路のＴ字状に流路が形成されたＴ字流路部において前記液滴塊を移動方向を変えながら往復させることにより、非対称な流れを前記液滴塊内に起こすことで液滴同士を混合する混合工程と、を備えたことを特徴とする液滴混合方法を提供する。
【００１２】
本発明の請求項１によれば、混合する複数の液滴を合一してマイクロ流路の内壁面に接触する大きさの液滴塊を形成し、マイクロ流路のＴ字状に流路が形成されたＴ字流路部において前記形成した液滴塊を移動方向を変えながら往復させることにより、非対称な流れを液滴塊内に起こすことで液滴同士を混合するようにした。これにより、液滴塊内にカオス的な流れ（予測できない複雑な流れ）が発生して液滴塊内が攪拌されるので、液滴塊を構成する液滴同士、あるいは液滴内の成分同士を効果的に混合することができる。
【００１３】
尚、Ｔ字流路部を構成する流路は、必ずしも直線流路同士でＴ字を形成することには限定されず、多少曲率があったり、うねっていたりしてもよい。以下、同様である。
【００１４】
請求項２は請求項１において、前記混合工程では、前記Ｔ字流路部に導入する液滴塊が楕円に近い形状を有し、前記Ｔ字流路部において前記液滴塊の移動方向が変わる際、液滴塊の内側は前記Ｔ字流路部の流路壁面と接するが、液滴塊の外側が流路壁面と接しないことで、液滴塊の両面が受ける摩擦の差を利用して、液滴塊内に非対称な流れを発生させて混合効果を発現することを特徴とする。
【００１５】
請求項２は最適な液滴塊の形状を規定するとともに、混合される作用を示したしたものである。液滴塊内での非対称な流れは、流路壁面との摩擦によって発生するため、確実に流路壁面と接触できることが必要である。そのため、液滴の形状は球ではなく、楕円となることが好ましい。しかし、楕円の長軸長さが短軸長さに比べて大き過ぎる場合には、長軸の両末端が離れ過ぎるので、液滴塊内部では効果的な混合が起こりにくい。即ち、短軸長さに対する長軸長さの比が１を越えて大きく３以下であることが好ましい。更には１．２以上２以下であることが好ましい。從って、最適な液滴塊の形状となるように、Ｔ字流路部に導入する液滴塊のサイズや導入する液滴塊の容積を設定することが好ましい。換言すると、液滴塊形成工程で合一させる液滴のサイズや容積を設定することが好ましい。
【００１６】
請求項３は請求項１又は２において、前記液滴塊を分裂させないように、前記液滴塊の往復移動回数及び／又は往復移動距離を設定することを特徴とする。
【００１７】
請求項３によれば、Ｔ字流路部における液滴塊の往復移動を、液滴塊が分裂しない回数及び距離に設定したので、液滴同士の混合を一層促進できる。これは、液滴塊をＴ字流路部で往復移動することで、液滴塊内にカオス的な流動が生じるのであって、液滴塊が分裂して細かな液滴になってしまうと、液滴同士の接触が悪くなるだけでなく、液滴が直線流路部で往復移動するのと同じになってしまい、混合効果が顕著に小さくなる。
【００１８】
本発明の請求項４は前記目的を達成するために、マイクロ流路において液滴と流路壁面上の固定物とを接触混合する液滴混合方法において、前記固定物を前記マイクロ流路のＴ字状に流路が形成されたＴ字流路部に固定する固定工程と、前記マイクロ流路の内壁面に接触する大きさの液滴を前記Ｔ字流路部で往復移動させることにより前記液滴と前記固定物とを接触混合する混合工程と、を備えたことを特徴とする液滴混合方法を提供する。
【００１９】
本発明の請求項４によれば、Ｔ字流路部の流路壁面上に固定物を固定しておき、マイクロ流路の内壁面に接触する大きさの液滴をＴ字流路部において往復移動させるようにした。これにより、Ｔ字流路部で液滴が往復移動する度に液滴にカオス的な流れが発生して液滴が攪拌されるので、液滴全体を固定物に満遍なく接触させることができる。従って、液滴の成分と固定物の成分とが効率的に混合する。
【００２０】
請求項５は請求項４において、前記固定物は抗体であり、前記液滴は血液であり、前記抗体と前記血液中の抗原とにより抗原抗体反応を行うことを特徴とする。
【００２１】
請求項５のように、固定物を抗体とし、液滴を血液として本発明を適用すれば、血液中の抗原と抗体とを効率的に接触させて抗原抗体反応を行うことができるので、簡単に且つ迅速に血液検査を行うことができる。
【００２２】
請求項６は請求項１〜５の何れか１において、液滴の往復移動の繰り返し周波数を、０．１Ｈｚ以上５Ｈｚ以下で行うことを特徴とする。
【００２３】
請求項６は、混合を促進する上で効果的な往復移動の繰り返し周波数を規定したもので、０．１Ｈｚ以上５Ｈｚ以下であることが好ましい。ここで、０．１Ｈｚとは１０秒間で１往復することを意味し、５Ｈｚとは１秒間に５回往復移動することを意味する。更に好ましい往復移動の繰り返し周波数は、０．１Ｈｚ以上２Ｈｚ以下である。
【００２４】
請求項７は請求項１〜６の何れか１において、前記往復移動を気体の圧力変化で行うと共に、送気する気体量及び吸引する気体量が０．１〜１０００μＬ／分の範囲であることを特徴とする。
【００２５】
請求項７は、Ｔ字流路部における液滴（又は液滴塊）の往復移動を行うための好ましい動力を規定したものであり、Ｔ字流路部に気体を出し入れすることによる気体の圧力変化で行うことが好ましい。また、送気する気体量及び吸引する気体量が０．１〜１０００μＬ／分の範囲であることが好ましい。
【００２６】
本発明の請求項８は前記目的を達成するために、マイクロ流路において液滴同士を混合する液滴混合装置において、前記マイクロ流路の一部として形成され、混合するための複数の液滴を合一して前記マイクロ流路の内壁面に接触する大きさの液滴塊を形成する合一部、及び前記合一部の下流側に位置して、Ｔ字状に流路が形成されたＴ字流路部を備えた装置本体と、前記マイクロ流路に液滴を注入する液滴注入手段と、前記注入された液滴を前記合一部を介して前記Ｔ字流路部に移送する移送手段と、前記Ｔ字流路部において前記液滴塊を往復移動させる往復移動手段と、を備えたことを特徴とする液滴混合装置を提供
する。
【００２７】
請求項８は、本発明を装置として構成したものであり、本発明の液滴混合装置を使用すれば、マイクロ流路内で液滴同士を極めて効率的に接触混合することができる。
【００２８】
請求項９は請求項８において、前記合一部の上流側が複数の分岐流路に分岐されると共に、該分岐流路から異なる種類の液滴を供給して合一部で合一させることにより、前記液滴塊を形成することを特徴とする。
【００２９】
請求項９によれば、合一部の上流側に形成した複数の分岐流路に異なる種類の液滴を供給して合一部で合一させるようしたので、簡単な構造で液滴塊を形成することができる。
【００３０】
本発明の請求項１０は前記目的を達成するために、マイクロ流路において液滴と流路壁面上の固定物とを接触混合する液滴混合装置において、前記マイクロ流路の一部として形成され、Ｔ字状に流路が形成されたＴ字流路部を備えた装置本体と、前記固定物を前記マイクロ流路のＴ字状に流路が形成されたＴ字流路部に固定する固定手段と、前記マイクロ流路に液滴を注入する液滴注入手段と、前記注入された液滴を前記Ｔ字流路部に移送する移送手段と、前記Ｔ字流路部において前記液滴を往復移動させる往復移動手段と、を備えたことを特徴とする液滴混合装置を提供する。
【００３１】
請求項１０によれば、Ｔ字流路部の流路壁面上に固定物を固定しておき、マイクロ流路の内壁面に接触する大きさの液滴をＴ字流路部で往復移動させるようにした。これにより、Ｔ字流路部で液滴が往復移動する度に液滴にカオス的な流れが発生して液滴が攪拌されるので、液滴全体を固定物に満遍なく接触させることができる。従って、液滴内の成分と固定物の成分とが効率的に混合する。
【００３２】
請求項１１は請求項１０において、前記固定物は抗体であり、前記液滴は血液であり、前記抗体と前記血液中の抗原とにより抗原抗体反応を行うことを特徴とする。
【００３３】
請求項１１によれば、固定物を抗体とし、液滴を血液の液滴として本発明を適用すれば、血液中の抗原と抗体とを効率的に接触させて抗原抗体反応を行うことができるので、簡易検査装置としても使用できる。
【００３４】
請求項１２は請求項８〜１１の何れか１において、前記Ｔ字流路部を構成する３方向の流路のうちの少なくとも１方向の流路に流路断面が狭くなる絞り部を有することを特徴とする。
【００３５】
請求項１２のように、Ｔ字流路部を構成する３方向の流路の少なくとも１つの流路に流路の狭い絞り部を形成することで、更にカオス的な流れが促進されるので混合を一層促進できる。
【００３６】
請求項１３は請求項８〜１２の何れか１において、前記Ｔ字流路部を構成する３方向の流路のうちの１方向の流路が、直線流路を形成する他の２本の流路に対して傾斜していることを特徴とする。
【００３７】
請求項１３のように、Ｔ字流路部を構成する３方向の流路のうちの１つの流路を傾けて流路形状を非対称にすることで、更にカオス的な流れが促進されるので混合を一層促進できる。尚、ここで、直線流路とは、上述したように、多少曲率があったり、うねっていたりする場合も含む。
【００３８】
請求項１４は請求項８〜１３の何れか１において、前記往復移動手段は、Ｔ字流路部内の圧力を変化させる手段であることを特徴とする。
【００３９】
Ｔ字流路部内の圧力を変化させることで液滴の往復移動させる方法が、簡便だからである。
【００４０】
請求項１５は請求項８〜１４の何れか１において、前記マイクロ流路の流路断面は等価直径で５０μｍ以上２ｍｍ以下であると共に、前記液滴の体積は０．１ｎＬ以上１００μＬ以下であることを特徴とする。
【００４１】
請求項１５は、マイクロ流路における液滴の混合を効率的に行うためのマイクロ流路の大きさや、液滴の大きさを規定したものである。但し、上記したように、液滴がマイクロ流路の内壁面に接触する大きさであることが必要であり、液滴１個の大きさがマイクロ流路の径に対して小さすぎる場合には液滴を合一させて大きくすることが必要である。
【００４２】
請求項１６は請求項８〜１５の何れか１において、前記液滴の前記マイクロ流路内壁面に対する接触角は、２０°以上１８０未満であることを特徴とする。
【００４３】
本発明の液滴混合方法は、マイクロ流路の内壁面に対する液滴の濡れ性が小さい方が、液滴としての形状を維持し易く、Ｔ字流路部の往復移動での液滴（又は液滴塊）の形状変化がダイナミックに生じ易いため、混合が促進される点に特徴がある。従って、接触角が２０°未満のように、液滴と内壁面との濡れ性が良すぎると混合効果が低下する。
【発明の効果】
【００４４】
以上説明したように、本発明の液滴混合方法及び装置によれば、マイクロ流路内で液滴同士又は液滴と固定物とを極めて効率的に接触混合することができる。従って、小型な器具で、簡便に且つ少量の血液量で血液検査を行うための方法や装置としても適用できる。
【発明を実施するための最良の形態】
【００４５】
以下、添付図面に従って、本発明に係る液滴混合方法及び装置の好ましい実施の形態について詳説する。
【００４６】
図１は、本発明の第１の実施の形態における液滴混合装置１０を示す斜視図であり、液滴同士を効率的に混合する装置である。図２は本発明の液滴混合装置１０の主要部分を示した概念図である。
【００４７】
図１及び図２に示すように、本発明の液滴混合装置１０は、主として、マイクロ流路１２の一部として形成された合一部１４及びＴ字流路部１６を備えた装置本体１８と、マイクロ流路１２に液滴Ａ、Ｂを注入する液滴注入手段２０と、注入された液滴Ａ、Ｂを合一部１４を介してＴ字流路部１６に移送する移送手段２２と、Ｔ字流路部１６において合一した液滴塊Ｃを往復移動させる往復移動手段２５と、で構成される。
【００４８】
装置本体１８に形成されたマイクロ流路１２は、液滴Ａ、Ｂの移送方向から見て上流側にＹ字流路から成る合一部１４が形成されると共に、下流側にＴ字流路から成るＴ字流路部１６が形成される。尚、本実施の形態では、組成の異なる２種類の液滴Ａ、Ｂを合一部１４で合一させて１つの液滴塊Ｃを形成する一例で説明するため、合一部１４をＹ字流路とした。しかし、合一部１４の形状をＹ字流路に限定するものではなく、合一させる液滴の数に必要な数の流路本数で構成することができる。
【００４９】
Ｙ字流路から成る２つの端部は、それぞれの貫通孔１４Ａ、１４Ａを介して装置本体１
８の上面１８Ａに貫通しており、この２つの貫通孔１４Ａに、液滴注入手段２０及び移送手段２２が接続される。即ち、貫通孔１４Ａにそれぞれ注入管２４、２４が着脱自在に接続されると共に、注入管２４の先端から注入管２４内に注入器具２６を使用して液滴Ａ、Ｂをそれぞれ注入する。また、注入管２４の途中には、気体配管２８、２８が連結され、気体配管２８の先端にマイクロ容量の給気が可能な送気器具３０、３０が接続される。そして、注入器具２６で注入管２４の先端から液滴Ａ、Ｂを注入し、注入された液滴Ａ、Ｂを送気器具３０からの気体圧力でマイクロ流路１２に移送する。気体としては、通常エアを使用することができるが、液滴Ａ、Ｂが酸素等を嫌うものである場合には、窒素ガス等の不活性ガスを使用するとよい。尚、図１では２つの送気器具３０を設けたが、１つの送気器具３０に接続した気体配管２８を分岐させてそれぞれの注入管２４に接続してもよい。
【００５０】
注入器具２６としては、例えばマイクロ容量の注射器を好適に使用することができ、送気器具３０としてはマイクロ容量の気体を給気できるマイクロポンプを好適に使用することができる。
【００５１】
一方、Ｔ字流路部１６は、合一部１４から連続する１本の横流路１２Ａと、該横流路１２Ａに立設した縦流路１２ＢとによりＴ字流路（図１及び図２では逆Ｔ字流路）を構成して成り、縦流路１２Ｂの先端が装置本体１８の上面１８Ａに貫通している。ここで、Ｔ字流路部１６を構成する横流路１２Ａ及び縦流路１２Ｂは、完全に直線であることに限定されず、多少曲率があったり、うねっていている場合も含まれる。
【００５２】
そして、この縦流路１２Ｂの先端に往復移動手段２５が接続される。即ち、縦流路１２Ｂの先端に着脱自在に配管３２が接続され、配管３２先端に往復移動器具３４が接続される。往復移動器具３４としては、縦流路１２Ｂに対して加圧と吸引とを交互に行うことができる加圧・吸引方式のマイクロポンプを好適に使用できる。また、上記のように、注入管２４及び配管３２を装置本体１８から着脱自在にすることで、装置本体１８のみを使い捨てにすることができる。
【００５３】
Ｔ字流路部１６における縦流路１２Ｂは、図２のように同じ流路径でもよいが、図３のように縦流路１２Ｂの根元部分の流路径を細くした絞り部１２Ｃを有することがより好ましい。尚、絞り部１２Ｃを形成する位置は、縦流路１２Ｂの根元部分に限定するものではなく、縦流路１２Ｂの途中でもよく、更には横流路１２Ａに形成してもよい。但し、Ｔ字流路部１６で液滴塊Ｃが往復移動する領域内に絞り部１２Ｃを形成する必要がある。また、縦流路１２Ｂは、図２のように横流路１２Ａに対して垂直であってもよいが、図４のように傾斜していることがより好ましい（図４は絞り部１２Ｃと傾斜との両方）。横流路１２Ａに対する縦流路１２Ｂの傾斜角度θとしては、５°〜８０°の範囲が好ましく、３０°〜６０°の範囲がより好ましい。５°未満では傾斜角度が急すぎて液滴塊Ｃが破壊され易くなり、８０°を超えると傾斜させた効果が発揮されないからである。このように、Ｔ字流路部１６に絞り部１２Ｃを設けたり、縦流路１２Ｂを傾斜させたりすることで、液滴Ａ、Ｂ同士の混合を一層促進することができるからである。
【００５４】
また、図１に示すように、横流路１２Ａの先端は、貫通孔３６を介して装置本体１８の上面１８Ａに貫通しており、空気抜き口３８として形成される。
【００５５】
上記のように形成されたマイクロ流路１２の流路断面は、等価直径で５０μｍ以上２ｍｍ以下であることが好ましく、１００μｍ以上１ｍｍ以下であることがより好ましい。ここで、等価直径とは流路断面を円とした場合の直径である。また、マイクロ流路１２の内壁面に対する液滴Ａ、Ｂの接触角が２０°以上１８０°未満となるように内壁面の濡れ性を形成することが好ましい。より好ましくは、６０°以上１８０未満の範囲である。これ
は、マイクロ流路１２の内壁面に対する液滴Ａ、Ｂの濡れ性が小さい方が、Ｔ字流路部１６の往復移動での液滴塊Ｃの形状変化がダイナミックに生じ易く、混合が促進されるからである。
【００５６】
上記の如く構成された装置本体１８は、マイクロドリル加工、マイクロ放電加工、めっきを利用したモールディング、射出成形、ドライエッチング、ウエットエッチング、及びホットエンボス加工等の精密加工技術を利用して製造することができる。また、汎用的な旋盤、ボール盤を用いる機械加工技術も利用できる。
【００５７】
装置本体１８の材料としては、特に限定されるものではなく、上述の加工技術を適用できるものであればよい。具体的には、金属材料（鉄、アルミニウム、ステンレススチール、チタン、各種の金属等）、樹脂材料（アクリル樹脂、ＰＤＭＳ等）、ガラス（シリコン、パイレックス（登録商標）、石英ガラス等）や、石英ガラスやパイレックスガラスにパリレン（パラキシレン蒸着）処理を行ったもの、フッ素系又は炭化水素系のシランカップリング処理を行ったものを好適に使用できる。
【００５８】
また、装置本体１８は、後記する液滴混合方法で説明するように、２種類の液滴Ａ、Ｂの合一状態、及び合一した液滴塊ＣのＴ字流路部１６における往復移動状態を視覚により観察できるように、透明な材料で製作することが好ましい。
【００５９】
また、装置本体１８を加熱する加熱手段（図示せず）を設けることが好ましい。加熱手段としては、金属抵抗線やPolysilicon などのヒータ構造を装置本体１８に作り込む方法などがある。金属抵抗線やPolysilicon などのヒータ構造の場合には、加熱についてはこれを使用し、冷却については自然冷却でサーマルサイクルを行うことで温度を制御する。この場合の温度のセンシングについては、金属抵抗線の場合には同じ抵抗線をもう一つ作り込んでおき、その抵抗値の変化に基づいて温度検出を行い、Polysilicon の場合には、熱電対を用いて温度検出を行う方法が一般的に採用されている。また、近年においては、ペルチェ素子を用いた温度制御機能を装置本体１８に組み込むことで、血液の温度制御を精度良く行うこともできる。何れにしても、温度制御そのものは、従来からの温度制御技術でもペルチェ素子に代表される新規な温度制御技術でも可能であり、装置本体１８の材料等に応じた加熱・冷却機構と温度センシング機構の選択、ならびに外部制御系の構成を組み合わせて最適な方法を選択することができる。
【００６０】
次に上記の如く構成された液滴混合装置１０を用いて本発明の液滴混合方法を説明する。
【００６１】
先ず、図１に示すように、それぞれの注入器具２６で２本の注入管２４に２種類の液滴Ａ、Ｂを注入する。マイクロ流路１２の流路径にもよるが、１００〜２００ｎＬ（ナノリットル）程度の液滴Ａ、Ｂを注入管２４に注入する。この場合、注入された液滴Ａ、Ｂが、注入管２４に接続される気体配管２８の下まで入り込むように注入する。注入する液滴Ａ、Ｂの体積は、０．１ｎＬ以上１００μＬ以下であることが好ましい。
【００６２】
次に、送気器具３０を駆動して、気体配管２８に気体（例えばエアー）を給気し、注入管２４に注入された液滴Ａ、Ｂをマイクロ流路１２の合一部１４に移送する。これにより、図２に示すように、液滴Ａ、Ｂは合一部１４で合流して合一し、液滴塊Ｃとなる。この場合、液滴Ａ、Ｂ及び液滴塊Ｃのうち、少なくとも液滴塊Ｃは、マイクロ流路１２の内壁面に十分に接触する大きさであることが必要である。
【００６３】
次に、送気器具３０を引き続き駆動して、液滴塊ＣをＴ字流路部１６に移送したら、送気器具３０の駆動を停止する。
【００６４】
次に、往復移動器具３４を駆動して、Ｔ字流路部１６における縦流路１２Ｂに対して加圧・減圧（吸引）を繰り返すことにより、液滴塊ＣをＴ字流路部１６において移動方向を変えながら往復させることにより、非対称な流れを液滴塊内に起こすことで液滴同士を混合する。液滴塊Ｃを往復移動させる周波数、即ち加圧・減圧の周期としては、０．１Ｈｚ以上５Ｈｚ以下の範囲で行うことが好ましい。また、往復移動させるために往復移動器具から送り込む気体量や吸引する気体量は、０．１〜１０００μＬ／分の範囲が好ましい。
【００６５】
これにより、図２に示すように、液滴塊ＣはＴ字流路部１６で往復移動する度に、液滴塊Ｃの形が本来の球形からＴ字形等の複雑な形状に変化する。従って、液滴塊Ｃ内にカオス的な流れ（予測できない複雑な流れ）が発生して液滴塊Ｃ内が攪拌されるので、液滴塊Ｃを構成する液滴Ａ、Ｂ同士を効果的に混合することができる。この場合、図３及び図４で説明したように、Ｔ字流路部１６に絞り部１２Ｃを設けたり、縦流路１２Ｂを傾斜させたりした液滴混合装置１０を使用すれば、図５及び図６のように、液滴塊Ｃの形が本来の球形から一層複雑な形状に変化するので、混合を一層促進できる。即ち、縦流路１２Ｂの根元部分に絞り部１２Ｃを有する図５では、縦流路１２Ｂの根元部分を通過する液滴塊Ｃが絞り部１２Ｃで体積が一旦縮み、絞り部１２Ｃを通過すると急激に膨らむ。この動きにより液滴塊Ｃ内に一層カオス的な流れが発生する。また、図６のように絞り部１２Ｃと縦流路１２Ｂの傾斜とを併用すれば、液滴塊Ｃが更に複雑な形状に変化し、混合を促進できる。そのため、Ｔ字流路部１６以外での単調な液滴の移動は最小限に抑え、それよりもＴ字流路部１６で移動方向を変える回数を増やすことで、混合を促進できる。
【００６６】
かかる液滴塊Ｃの往復運動において液滴塊Ｃが破壊されると、液滴Ａ、Ｂが別々にＴ字流路部１６を往復移動することになり、混合性能が悪くなる。また、液滴塊Ｃが破壊されて液滴Ａ、Ｂになると液滴径が小さくなり、Ｔ字流路部１６で液滴のダイナミックな形状変形がされなくなる。従って、液滴塊Ｃが破壊されないように往復運動する必要がある。そのためには、往復移動の回数や往復移動を行う距離を適切に設定することが重要になる。混合に必要な回数は、使用する液の物性によるが、溶質の濃度が低い水溶液同士であれば、１〜２往復するのみで均一になることが確認されている。
【００６７】
このように、本発明の液滴混合方法では、混合するための複数の液滴Ａ、Ｂを合一して液滴塊Ｃを形成し、この液滴塊ＣをＴ字流路部１６において往復移動させるようにしたので、マイクロ流路１２で液滴同士を極めて効率的に混合することができる。
【００６８】
図７は、本発明の液滴混合装置の第２の実施の形態を示す斜視図であり、液滴Ａと固定物Ｄとを接触混合して、液滴中の成分と固定物中の成分を効率的に混合する装置である。尚、第１の実施の形態と同じ部材や手段については同符号を付して説明する。
【００６９】
図７に示すように、第２の実施の形態の液滴混合装置４０は、主として、マイクロ流路１２の一部として形成されたＴ字流路部１６を備えた装置本体１８と、マイクロ流路１２のＴ字流路部１６に固定物Ｄを固定する固定手段と、マイクロ流路１２に液滴Ａを注入する液滴注入手段２０と、注入された液滴ＡをＴ字流路部１６に移送する移送手段２２と、Ｔ字流路部１６において液滴Ａを往復移動させる往復移動手段２５と、で構成される。
【００７０】
即ち、第２の実施の形態の液滴混合装置４０は、マイクロ流路１２にＴ字流路部１６のみを設けて合一部１４は設けておらず、注入管２４及び気体配管２８は１本で構成されている点、及びマイクロ流路１２のＴ字流路部１６に固定物Ｄを固定する固定手段（図示せず）を新たに設けた点が、第１の実施の形態と異なる。その他、液滴注入手段２０、移送手段２２、往復移動手段２５、マイクロ流路１２の直径、液滴Ａのマイクロ流路１２内壁面に対する接触角、Ｔ字流路部１６における液滴Ａの往復移動の周波数、装置本体１８の製作方法等は第１の実施の形態と同様であり、説明は省略する。また、Ｔ字流路部１６に絞り部１２Ｃや、縦流路１２Ｂを傾斜させることは、第２の実施の形態でも好ましい。
【００７１】
固定物ＤをＴ字流路部１６に固定する固定手段としては、例えばインクジェット装置を利用することができる。即ち、Ｔ字流路部１６の縦流路１２Ｂの先端に、ジェットノズルを取付け、ジェットノズルから固定物Ｄを含む液をＴ字流路部１６の底部に打滴して、Ｔ字流路部１６の底部に固定物Ｄを固定する。
【００７２】
上記の如く構成された第２の実施の形態の液滴混合装置４０を用いた本発明の液滴混合方法によれば、図８に示すように、Ｔ字流路部１６に固定物Ｄを固定しておき、マイクロ流路１２に注入した液滴ＡをＴ字流路部１６において往復移動させる。これにより、液滴Ａを満遍なく固定物Ｄに接触させることができるので、液滴Ａの成分と固定物Ｄの成分とを効率的に接触混合することができる。
【００７３】
従って、液滴Ａとして血液を使用し、固定物Ｄとして抗体をＴ字流路部１６に固定すれば、簡単な器具で抗体抗原反応による簡易血液検査を行うことができる。
【００７４】
尚、第１の実施の形態の合一部１４を備えた液滴混合装置のＴ字流路部１６に固定手段で固定物Ｄを固定して、合一部１４で合一した複数種類の液滴塊ＣをＴ字流路部１６で往復移動させるように装置を構成してもよい。このように構成すれば、血液の液滴Ａと検査液とを先ず合一部１４で合一して反応させた後で、反応させた液滴塊ＣをＴ字流路部１６において抗体（固定物）と効率的に接触することができ、応用の範囲が広がる。
【００７５】
また、本発明の第１及び第２の実施の形態では、注入管２４に注入した液滴Ａ、Ｂを移送手段による気体圧で移送するようにしたが、気体の他に液体を使用することもできる。この場合の液体は、液滴Ａ、Ｂや固定物Ｄと混合せず且つ反応しない液体であることが必要である。また、液体を使用する場合には、空気抜き口３８に排出チューブを接続して、液滴の移送の際に液体が排出チューブを介して適切な場所に排出されるようにすればよい。
【実施例】
【００７６】
次に、図１で示した本発明の液滴混合装置１０と、従来の液滴混合装置とにより、混合性能を比較した比較試験について説明する。
【００７７】
実施例１では、図３に示したように、縦流路１２Ｂの根元部分に絞り部１２Ｃを形成したＴ字流路部１６を備えた液滴混合装置１０を使用した。
【００７８】
実施例２では、図４に示したように、絞り部１２Ｃに加えて縦流路１２Ｂを横流路１２Ａに対して４５°傾斜させたＴ字流路部１６を備えた液滴混合装置１０を使用した。
【００７９】
一方、比較例では、図９に示したように、合流部の下流側に単なる直線流路で形成された混合部を備えた従来の液滴混合装置を使用した。
【００８０】
実施例１及び２のＴ字流路部、及び比較例の直線流路部の流路径は、流路幅及び深さがそれぞれ０．２ mmで共通とした。但し、Ｔ字流路部の絞り部１２Ｃの径は０．１５ｍｍ
とした。また、Ｔ字流路部の縦流路の位置は、合一部から５ｍｍ下流にいった位置に形成した。また、実施例１及び２、比較例ともに、装置本体は透明なアクリル樹脂で制作し、マイクロ流路１２内の液滴が目視で観察できるようにした。
【００８１】
そして、実施例１では、絞り部１２Ｃを有するＴ字流路部１６を備えたマイクロ流路に
、赤色の水性染料の液滴Ａ（１５０ｎＬ）と、黄色の水性染料の液滴Ｂ（１５０ｎＬ）とを注入し、合一部１４で液滴塊Ｃ（３００ｎＬ）に合一した後、合一した液滴塊ＣをＴ字流路部１６で往復移動させて混合した。往復移動させるための往復移動器具としてはシリンジポンプを使用した。
【００８２】
実施例２は、絞り部１２Ｃに加えて縦流路１２Ｂを横流路１２Ａに対して４５°傾斜させたＴ字流路部において、液滴塊Ｃを往復移動させて混合した以外は実施例１と同様である。
【００８３】
比較例では、マイクロ流路に、赤色の水性染料の液滴Ａと、黄色の水性染料の液滴Ｂとを注入し、合一部１４で液滴塊Ｃに合一した後、合一した液滴塊Ｃを直線流路部で往復移動させて混合した。また、比較例の合流部と直線流路部との間隔は、実施例１及び２の合流部とＴ字流路部との間隔と同じ位置になるようにした。即ち、Ｔ字流路部がある位置と同等な位置において液滴塊Ｃを往復移動させた。
【００８４】
実施例１及び２、比較例ともに、液滴塊Ｃの往復の周波数（加圧・吸引の繰り返し周期）は０．５Ｈｚで行い、加圧・吸引のための気体量は毎分５μＬ／分とした。
【００８５】
そして、正立顕微鏡に取り付けたＣＣＤにより液滴塊Ｃを撮影し、撮影された液滴塊Ｃの画像において輝度むらがなくなるまでの時間を測定した。輝度むらがなくなるまでの時間を混合時間とし、混合時間が短いほど混合性能が良いと評価した。正立顕微鏡の対物レンズの倍率は１０倍とした。
【００８６】
その結果、比較例では、液滴塊Ｃの輝度むらが十分なくなるまでに４秒かかったのに対して、実施例１では３秒、実施例２では２秒で輝度むらがなくなった。この実施例は液滴同士の混合について示したものであるが、この結果から、流路壁との摩擦によるカオス的な流れが発生していることは十分推察することができる。從って、液滴とＴ字流路部の流路壁面上に固定された固定物との場合にも、液滴と固定物とを極めて効率的に接触させることができる。
【００８７】
このように、本発明の液滴混合装置を使用すれば、マイクロ流路内で液滴同士又は液滴と固定物とを極めて効率的に接触混合することができる。
【図面の簡単な説明】
【００８８】
【図１】本発明の第１の実施の形態の液滴混合装置を示す斜視図
【図２】第１の実施の形態の液滴混合装置の主要部を示す概念図
【図３】Ｔ字流路部の別態様を示す概念図
【図４】Ｔ字流路部の更に別態様を示す概念図
【図５】図３で示したＴ字流路部の作用効果を説明する説明図
【図６】図４で示したＴ字流路部の作用効果を説明する説明図
【図７】本発明の第２の実施の形態の液滴混合装置を示す斜視図
【図８】第２の実施の形態の液滴混合装置の主要部を示す概念図
【図９】従来の液滴混合装置の主要部を示す概念図
【符号の説明】
【００８９】
１０、４０…液滴混合装置、１２…マイクロ流路、１４…合一部、１６…Ｔ字流路部、１８…装置本体、２０…液滴注入手段、２２…移送手段、２４…注入管、２５…往復移動手段、２６…注入器具、２８…気体配管、３０…送気器具、３２…配管、３４…往復移動器具、３８…空気抜き口、Ａ、Ｂ…液滴、Ｃ…液滴塊、Ｄ…固定物
【図１】
2008107340.tif 000003
【図２】
2008107340.tif 000004
【図３】
2008107340.tif 000005
【図４】
2008107340.tif 000006
【図５】
2008107340.tif 000007
【図６】
2008107340.tif 000008
【図７】
2008107340.tif 000009
【図８】
2008107340.tif 000010
【図９】
2008107340.tif 000011